(57)【要約】【課題】簡易な構造で効率よくし尿浄化を行いうるし尿浄化装置とし尿浄化方法を提供する。【解決手段】浄化槽１４内の中間位に配置された浄化用フィルタ６０と、浄化槽１４内の、浄化用フィルタ６０より下位に配置され、長さ方向に亘って多数の透孔５２を有する配管５０と、配管５０の一端に接続され、吸引と給気を行うポンプとを備える。浄化槽１４の底面は下方に突出するように傾斜し、配管５０が浄化槽底面の略最下位に配置されていることが好ましい。ポンプで配管５０を通じて吸引することにより、配管５０内及びその周辺に溜まっているスラリーを外部に吐き出す。またスラリー吐出し後に、ポンプで空気を送り込むことにより、浄化槽１４内の曝気を行う。ポンプとしては、１台で吸引と給気を行う両用のポンプか、あるいは吸引用ポンプと給気用ポンプの２台を使用してもよい。【選択図】図１
2006130428.tif 000002
【特許請求の範囲】
【請求項１】
浄化槽内の中間位に配置された浄化用フィルタと、
前記浄化槽内の、前記浄化用フィルタより下位に配置され、長さ方向に亘って多数の透孔を有する配管と、
前記配管の一端に接続され、吸引と給気を行うポンプとを備えたことを特徴とするし尿浄化装置。
【請求項２】
請求項１に記載のし尿浄化装置において、
前記浄化槽の底面が下方に突出するように傾斜し、前記配管が前記浄化槽の底面の略最下位に配置されていることを特徴とするし尿浄化装置。
【請求項３】
請求項１に記載のし尿浄化装置において、
前記浄化用フィルタは浄化効果の異なる複数の浄化剤を混在させてなるものであることを特徴とするし尿浄化装置。
【請求項４】
請求項１に記載のし尿浄化装置において、
前記浄化槽は、複数の浄化槽を連結すると共に、し尿の水分が隔壁を越えて順次流動するように構成され、前記複数の浄化槽に跨って前記配管を配設したものであることを特徴とするし尿浄化装置。
【請求項５】
請求項１ないし４のいずれかに記載のし尿浄化装置を使用して前記ポンプを駆動し、前記配管を通じて吸引を行って前記浄化槽内のスラリーを外部に吐き出した後に、同配管を通じて給気を行って前記浄化槽内の曝気処理をすることを特徴とするし尿浄化方法。
【発明の詳細な説明】
【技術分野】
【０００１】
本発明は、トイレの浄化槽として適用され、し尿を効率よく浄化するし尿浄化装置とし尿浄化方法に関する。
【背景技術】
【０００２】
従来から、し尿を含む排水等の汚水を浄化槽に配置した曝気手段を使って浄化することは一般的に知られている（特許文献１参照）。また、水分を浄化し、処理水として再利用する構成のものも知られている（特許文献２参照）。
【特許文献１】特開平８−１１７７２７号公報
【特許文献２】特開平１０−７２８５８号公報
【発明の開示】
【発明が解決しようとする課題】
【０００３】
ここで、従来のし尿浄化装置には、次のような解決すべき課題があった。
すなわち、特許文献１に示される浄化装置は、生ゴミ収容用の容器本体内に、攪拌翼を放射状に有する回転軸が設けられており、容器本体内に、生ゴミの分解を促進する好気性菌、嫌気性菌、通性嫌気性菌の３種の微生物と、生ゴミの分解により生じた成分を吸着する木屑とを主成分とする分解媒体を備えたものであるが、装置が大掛かりで設置が煩雑であるという課題がある。また、従来の浄化剤のみで汚水を浄化するものは、浄化作用が不十分であるという課題がある。
本発明は、以上の課題を解決するためになされたもので、簡易な構造で効率よくし尿浄化を行いうるし尿浄化装置とし尿浄化方法を提供することを目的とする。
【課題を解決するための手段】
【０００４】
本発明の各実施例においては、それぞれ次のような構成により上記の課題を解決する。
〈構成１〉
浄化槽内の中間位に配置された浄化用フィルタと、上記浄化槽内の、上記浄化用フィルタより下位に配置され、長さ方向に亘って多数の透孔を有する配管と、上記配管の一端に接続され、吸引と給気を行うポンプとを備えたことを特徴とするし尿浄化装置。
【０００５】
ポンプで配管を通じて吸引することにより、浄化槽内における配管内部及びその周辺に溜まっているスラリーを外部に吐き出すことができる。また、スラリー吐出し後に、ポンプで空気を送り込む、すなわち給気することにより、浄化槽内の曝気を行うことができる。つまり、スラリーが大量に溜まったり、詰まって固まることにより浄化能力が大幅に低下することになるが、このような状況が起こる前に、１本の配管でスラリー吐出しと曝気処理を行うことができる。
【０００６】
〈構成２〉
構成１に記載のし尿浄化装置において、上記浄化槽の底面が下方に突出するように傾斜し、上記配管が上記浄化槽の底面の略最下位に配置されていることを特徴とするし尿浄化装置。
【０００７】
スラリーを浄化槽内底面に溜まり易くしてポンプによるスラリー吐出しを効率よく行うことができる。
【０００８】
〈構成３〉
構成１に記載のし尿浄化装置において、上記浄化用フィルタは浄化効果の異なる複数の浄化剤を混在させてなるものであることを特徴とするし尿浄化装置。
【０００９】
浄化槽の内部では、浄化用フィルタにより酵素等による浄化処理が行われる。浄化用フィルタは各浄化槽の適当な高さに配置される。
浄化用フィルタとしては、ガラスを含む細石、牡蠣殻等の貝殻、多孔質のセラミックボールのようにそれぞれ浄化効果の異なる複数の浄化剤を、網目状の容器に収容してなるフィルタを使用することが好ましい。
なお、浄化用フィルタを使用することにより、酵素による浄化機能が低下した場合に、酵素の交換が容易にできる。
【００１０】
〈構成４〉
構成１に記載のし尿浄化装置において、上記浄化槽は、複数の浄化槽を連結すると共に、し尿の水分が隔壁を越えて順次流動するように構成され、上記複数の浄化槽に跨って上記配管を配設したものであることを特徴とするし尿浄化装置。
【００１１】
複数の浄化槽内を縦走する配管により、複数の浄化槽内のスラリー吐出し及び曝気を一気に行うことができる。
【００１２】
〈構成５〉
構成１ないし４のいずれかに記載のし尿浄化装置を使用して上記ポンプを駆動し、上記配管を通じて吸引を行って上記浄化槽内のスラリーを外部に吐き出した後に、同配管を通じて給気を行って上記浄化槽内の曝気処理をすることを特徴とするし尿浄化方法。
【００１３】
浄化槽内におけるスラリーを外部に吐き出した後に曝気処理をするので、効率よくし尿浄化を行うことができる。
【発明を実施するための最良の形態】
【００１４】
以下、本発明の実施の形態を詳細に説明する。
【実施例１】
【００１５】
図１は、実施例１のし尿浄化装置の要部を示す説明図、図２は図１の横断面図である。
図１、図２において、実施例１のし尿浄化装置は、浄化槽１４内の中間位に配置された浄化用フィルタ６０と、浄化槽１４内の、浄化用フィルタ６０より下位に配置され、長さ方向に亘って多数の透孔５２を有する配管５０と、配管５０の一端に接続端子５６を介して接続され、吸引と給気を行うポンプ５８（図６）とを備えている。
【００１６】
浄化槽１４は、次のように構成されている。
すなわち、浄化槽１４の外観は略直方体であるが、槽内部において長さ方向に延びる遮蔽板４５により、底面４６が下方に突出するように傾斜するように形成されている。遮蔽板４５の両端縁は、略水平面であり、浄化槽１４の側面との接合部において棚４７を形成している。浄化槽１４の内部は隔壁３４、３６、３８、４０により仕切られ、複数の各浄化槽２０、２２、２４が構成されている。
【００１７】
後述する処理水２６（図６）が各浄化槽２０、２２、２４を順次に流動するようにするために、隔壁３６と４０の各上端がそれぞれ隔壁３４と３８の上端より低くされ、また隔壁３４と３８の各下端が底面４６より上位にあり、底面４６に対して適宜間隔の隙間が形成されている。
【００１８】
浄化槽１４の下部に、遮蔽板４５により液密に分断されて独立した２つの空洞４８が設けられている。浄化用フィルタ６０は、遮蔽板４５の両端縁の棚４７に跨って配置されている。各浄化槽２０、２２、２４には、図４（ａ）に示す横型のフィルタ６０が配置され、隔壁３４と３６及び３８と４０の各間隙には図４（ｂ）に示す縦型のフィルタ６０が配置されている。配管５０は浄化槽１４の底面４６の略最下位に配置されている。
【００１９】
図３は浄化用フィルタの説明図で、（ａ）はセラミックボールを用いた浄化用フィルタの説明図、（ｂ）はそのセラミックボールの拡大図である。
図３（ａ）に示した浄化用フィルタ６０は、網状の籠７０の中に、セラミックボール６８を収容したものである。セラミックボール６８は、図３（ｂ）に示すように、例えば、多孔質の素焼きの球により構成される。これは、多数の孔の内部に酵素を定着させて、酵素の働きを長期間継続させる役割を備える。
【００２０】
この酵素の量やセラミックボール６８の数量は、状況に応じて自由に選定する。なお、籠７０を使用することにより、酵素による浄化機能が低下した場合に、棚４７の上に載せた籠７０を交換して酵素の交換が容易にできる。なお、こうした酵素を定着させて、長期間酵素の働きを助けるために、石やその他様々な多孔質素材が紹介されている。いずれの材料を使用しても構わない。
【００２１】
図４は本発明に適用される浄化用フィルタの他の例を示す説明図で、（ａ）は横型のフィルタ、（ｂ）は縦型のフィルタをそれぞれ示す概念図である。
図４（ａ）に示す浄化用フィルタ６０は、それぞれ浄化効果の異なる複数の浄化剤、例えば、ガラスを含む細石を主成分とする浄化剤６２と、牡蠣殻等の貝殻を主成分とする浄化剤６３と、多孔質のセラミックボールを主成分とする浄化剤６４とを重ね合わせ、これらを、網目状の容器に収容したものである。
【００２２】
また、浄化用フィルタ６０は、図４（ｂ）に示すように、それぞれ浄化効果の異なる複数の浄化剤６２、６３、６４を上下方向に細長く重ね合わせたものでもよい。この図４（ｂ）に示す浄化用フィルタ６０は、例えば、図１に示す浄化槽１４内における隔壁３４と隔壁３６との間や隔壁３８と隔壁４０との間等の狭い隙間に挿置されて使用される。
【００２３】
図５は、本発明に適用される浄化用フィルタのさらに他の例を示す説明図である。
図５に示す浄化用フィルタ６０は、網状の籠６５の中に、紫外線を発する蛍光管６６と、それを取り囲むように、光触媒を塗布したシリカゲル（図示せず）を収納したものである。蛍光管６６の両端の電極６７は、籠６５の上方に引き出され、図示しないリード線が接続されている。光触媒としては酸化チタン等の周知の光触媒が使用できる。
【００２４】
このように構成された浄化用フィルタ６０は、浄化槽１４内に設置され蛍光管６６を点灯すると、よく知られた光触媒の作用により処理水２６の脱臭や殺菌処理ができる。籠６５に収納したシリカゲルの表面全体に光触媒が塗布されていると、十分な量の光触媒により、脱臭等の効果が期待できる。
【００２５】
図６は、本発明に係わるし尿浄化装置の具体的な構成を示す説明図である。
図６（ａ）は浄化槽全体を示す平面図、（ｂ）はし尿浄化装置を展開して示す側面図である。
浄化槽は、図６（ａ）に示すように中央に固形物用の浄化槽１６を配置し、その周りに処理水用の浄化槽１８、２０、２２、２４を配置した構造のものである。これらは金属板やプラスチック板を用いて箱型の構造とされる。固形物用浄化槽１６の上方に、便器本体７４（図７）から、排泄物の大便である固形物を通過させて浄化槽１６内に落下させる開口と、その周りに、小便を含む処理水を受ける樋２７とが配置されている。樋２７に流れ落ちた処理水は、樋２７の直線部２８によって、浄化槽１８に流れ込む。
【００２６】
図６（ｂ）に示すように、浄化槽１８に流れ込んだ、小便を含む処理水２６は、ポンプ３０により汲み上げられ、浄化槽２０に送り込まれる。その後は、隔壁３２から４４により仕切られた各浄化槽１８、２０、２２、２４において処理水２６が順番に流動して浄化され、最後に浄化槽２５に流れ込んだ処理水２６が再び汲み上げられて便器本体７４の洗浄に利用される。この便器本体７４の洗浄は、例えば、使用者が使用開始する際に自動的にポンプ３０にスイッチが入って開始され、所定時間経過後に終了するようにされる。
【００２７】
これらの浄化槽の浄化能力を高めるために、各浄化槽の底面に溜まったスラリーを外部に吐出し、その後、各浄化槽の内部に空気を送り込み曝気処理をする。この処理のために、配管５０が設けられている。配管５０は、各浄化槽の隔壁３２、３６、４０、４４などを液密に貫くように配置されている。
【００２８】
図６（ｂ）に示すように、配管５０の一端に接続されたポンプ５８で各透孔５２を通じて吸引することにより、配管５０内及びその周辺に溜まっているスラリーを外部に吐き出すことができる。またスラリー吐出し後に、ポンプ５８で空気を送り込むと、全ての浄化槽において、長さ方向に亘って配管に設けられた多数の透孔５２からそれぞれ所定量の気泡５４が噴出し、曝気処理を行うことが可能になる。
【００２９】
曝気は配管５０を通じて各浄化槽内の水分中に気泡５４を送り込み、水分を攪拌して浄化用フィルタ及び浄化槽内に生息する好気性菌を活性化することによって、し尿成分を分解し浄化するものである。ポンプ５８としては、１台で吸引と給気を行う両用のポンプか、あるいは吸引用ポンプと給気用ポンプの２台を使用してもよい。
複数の浄化槽１４内を縦走する１本の配管５０により、複数の浄化槽１４内のスラリー吐出し及び曝気を一気に行うことができる。
【００３０】
図７は、上記し尿浄化装置の具体的な使用例を示す側面図である。
図７に示すように、浄化槽１４と便器本体７４は、椅子７６の下側に配置される。便座７８は、蝶番８０により椅子７６に開閉可能に固定されている。浄化槽３２の上部には、制御ボックス８２が固定されている。この制御ボックス８２には、大部分の制御機構、制御回路、ポンプ５８等が収容される。
【００３１】
なお、このし尿浄化装置は、例えば、便座７８の蓋を開いたときに、上記処理水のポンプ３０を動作させ、便座の蓋を閉じた後、所定時間経過後に処理水の流れを停止させる、といった制御を行う。さらに、同時にポンプ５８を動作させて浄化槽１４内のスラリー吐出し及び曝気を実行する。例えば、タイマを使ってポンプ５８を動作させることによって、浄化槽１４内のスラリー吐出しを行った後に、曝気を２〜３分程度実行し、その後、しばらくポンプ５８の運転を休止してからスラリー吐出しと曝気を行う、というように任意のサイクルで浄化槽１４内のスラリー吐出し及び曝気を行うことができる。スラリー吐出し及び曝気は、１日に１度程度、あるいは便器の使用頻度によっては１週間に１度程度のサイクルで行えばよい。
【００３２】
なお、浄化槽１４の下部に設けられている２つの空洞４８は、水密構造とされて他の浄化槽と連通され、一時的あるいは予備の処理水の貯蔵所として使用することができる。
【図面の簡単な説明】
【００３３】
【図１】実施例１のし尿浄化装置の要部を示す説明図である。
【図２】図１の横断面図である。
【図３】浄化用フィルタの説明図で、（ａ）はセラミックボールを用いた浄化用フィルタの説明図、（ｂ）はそのセラミックボールの拡大図である。
【図４】浄化用フィルタの他の例を示す説明図で、（ａ）は横型のフィルタをそれぞれ示す概念図、（ｂ）は縦型のフィルタを示す概念図である。
【図５】浄化用フィルタのさらに他の例を示す説明図である。
【図６】し尿浄化装置の具体的な構成を示す説明図で、（ａ）は浄化槽全体を示す平面図、（ｂ）はし尿浄化装置を展開して示す側面図である。
【図７】し尿浄化装置の具体的な使用例を示す側面図である。
【符号の説明】
【００３４】
１４、１６、２０、２２、２４  浄化槽
３２、３４、３６、３８、４０、４２、４４  隔壁
４６  底面
４８  空洞
５０  配管
５２  透孔
５８  ポンプ
６０  浄化用フィルタ
【図１】
2006130428.tif 000003
【図２】
2006130428.tif 000004
【図３】
2006130428.tif 000005
【図４】
2006130428.tif 000006
【図５】
2006130428.tif 000007
【図６】
2006130428.tif 000008
【図７】
2006130428.tif 000009